(57)【特許請求の範囲】
【請求項１】
レーザープリンタを載置する底板部材（Ａ）  と、レーザープリンタの上面に載置する天板部材（Ｂ）  と、これらを覆い底板部材（Ａ）  と連結収納する外装ケース（Ｃ）  とからなり、
底板部材（Ａ）  は、底板（１）  の前部内側に前底ブロック（３）  を、後部内側に後底ブロック（４）  をそれぞれ接当させて配設し、前底ブロック（３）  及び後底ブロック（４）  の各載置板（５３）（９９）の左端間に左アングル（６）  を、同右端間に右アングル（５）  をそれぞれ載置固定してなり、
底板（１）  は、差込片（３０）を上下両側に連設した左内枠板（２１）、縦板（２２）、ジョイント孔（３１）を設けた左外枠板（２３）、底部板（２４）、ジョイント孔（３２）を設けた右外枠板（２５）、縦板（２６）、差込片（３３）を上下両側に連設した右内枠板（２７）をそれぞれ折目を介して連設し、この底部板（２４）の上下部に、ジョイント孔（３４）（３８）を有する補強片（３５）（３９）を左右両側に連設した後枠板（２８）及び前枠板（２９）をそれぞれ折目を介して連設し、各折目を折曲して各枠板を起立させ、前後枠板（２９）（２８）の各補強片（３９）（３５）を左外枠板（２３）及び右外枠板（２５）にそれぞれ接着し、この左右両内側に、ジョイント孔（４０）を有する補強パッド（２）  を重ね、この補強パッド（２）  に左右内枠板（２１）（２７）を重ねて各ジョイント孔を連通させ、左右内枠板（２１）（２７）の各差込片（３０）（３３）を前後枠板（２９）（２８）にそれぞれ固着してなり、
前底ブロック（３）  は、貼着片（５０）、底部板（５１）、縦板（５２）、左上板部（７１）、載置板（５３）、右上板部（７４）、中縦板部（５４）、前上板部（５５）、前縦板（５６）をそれぞれ折目を介して連設し、底部板（５１）は、左端中央に縦長矩形の挿入孔（６０）を設け、縦長の押込片部（６３）を底部板（５１）及び縦板（５２）に半切線（６２）を介して設け、縦板（５２）と前縦板（５６）との間に複数の切込線（６４）（６５）（６７）（６８）を設けて、上方には縦板（５２）の左張出部（７０）と左上板部（７１）を連設して設け、下方には縦板（５２）の右張出部（７３）と右上板部（７４）を連設して設け、中央部には載置板（５３）を形成し、この載置板（５３）の右端の上部から下部にかけてそれぞれ折目を介して連設する左縦片部（７６）、補強片（７７）、中縦板部（５４）、補強片（７７）、右縦片部（７８）を形成し、左縦片部（７６）に左上板部（７１）の前張出部（７２）を、中縦板部（５４）に前上板部（５５）を、右縦片部（７８）に右上板部（７４）の前張出部（７５）をそれぞれ折目を介して連設し、前上板部（５５）を折目を介して前縦板（５６）の中央に連設し、各折目で折曲して補強片（７７）を前縦板（５６）の内側に、貼着片（５０）を前縦板（５６）の外側にそれぞれ接着し、底部板（５１）と縦板（５２）との間の前記半切線（６２）を内側に押し込み、各押込片部（６３）を内側に凹ませた筒状体としてなり、
前記前底ブロック（３）  の左筒状部及び右筒状部には、積層縦貼段ボールの波方向が前底ブロック（３）  の長手方向と直交する方向になるように裁断した左上外前片体（８０）と左下外前片体（８１）を、右上外前片体（８４）と右下外前片体（８５）をそれぞれ積み重ねて配設し、これよりさらに奥の筒状部に、積層クロス貼段ボールを裁断してなる左下内前片体（８７）及び右下内前片体（８８）をそれぞれ配設し、この左下外前片体（８０）と左下内前片体（８７）の前方上部、右下外前片体（８５）と右下内前片体（８８）の前方上部、及び前記筒状部の内部前方中央部に、積層縦貼段ボールの波方向が前底ブロックの長手方向と同一方向になるように裁断した左上内前片体（８２）、右上内前片体（８６）及び中央前片体（８３）をそれぞれ配設してなり、
後底ブロック（４）  は、後縦板（９０）、左右上板部（９１）（９２）、縦板（９３）、底部板（９４）、貼着片（９５）をそれぞれ折目を介して連設し、縦長の押込片部（１０４）  を底部板（９４）及び縦板（９３）に半切線（１０３）  を介して設け、後縦板（９０）の右中央に折目と連続する縦長矩形の打抜孔（９６）を穿設し、この打抜孔（９６）の上下端と連続する二条の切込線（９７）を縦板（９３）の中央部にかけて並行に設けて、補強縦板（９８）及び載置板（９９）を折目を介して縦板（９３）に連設し、各折目を折曲して、内側から順に補強縦板（９８）、後縦板（９０）及び貼着片（９５）を互いに重ねて接着し、底部板（９４）と縦板（９３）との間の前記半切線（１０３）  を内側に押し込み、各押込片部（１０４）  を内側に凹ませた筒状体としてなり、
前記後底ブロック（４）  の左筒状部及び右筒状部には、積層縦貼段ボールの波方向が後底ブロック（４）  の長手方向と直交する方向になるように裁断した左外後片体（１１０）  、右外後片体（１１１）  をそれぞれ配設し、これら左右外後片体（１１０）  （１１１）  の奥の筒状部に、積層クロス貼段ボールを裁断してなる左内後片体（１１３）  、右内後片体（１１４）  をそれぞれ配設し、載置板（９９）の中央後端部には、積層縦貼段ボールの波方向が後底ブロックの長手方向と同一方向になるように裁断してなる中央後片体（１１２）  を配設してなり、
右アングル（５）  は、横長の厚紙を長手方向で折曲して縦板部（１２０）  と横板部（１２１）  とを形成し、積層縦貼段ボールの短尺片体（１２３）  を、その波方向が長手方向と直交するように横板部（１２１）  の左端に貼着してなり、
左アングル（６）  は、横長の厚紙を長手方向で折曲して縦板部（１２５）  と横板部（１２６）  とを形成し、その波方向が長手方向と同一方向とした積層縦貼段ボールの長尺片体（１２７）  を、横板部（１２６）  の左端から右方にかけて貼着し、その波方向が長手方向と直交する方向とした積層縦貼段ボールの短尺片体（１２８）  を横板部（１２６）  の右端に貼着してなることを特徴とするレーザープリンタ用包装部材。
【請求項２】
請求項１において、天板部材（Ｂ）  が、天板（１０）の左筒状部の前部に左前天ブロック（１２）を、右筒状部の前部に右前天ブロック（１１）をそれぞれ挿入し、この天板（１０）の左右筒状部の後部に後天ブロック（１３）の左右の舌片部（２０７）  （２０８）  を挿入し、天板（１０）の天部板（１３４）  に天枠（１４）を接着して、部品ケース（Ｆ）  を収納する左室を、複数のカセット（Ｅ）  を収納する右室を形成し、この右室の左右内側にカセット固定部材（１７）、仕切パッド（１８）及び天蓋（１９）をそれぞれ配設してなり、
天板（１０）は、補強板（１３０）  、右内縦板（１３１）  、右下板（１３２）  、右外縦板（１３３）  、天部板（１３４）  、左外縦板（１３５）  、左下板（１３６）  、内縦板（１３７）  、補強板（１３８）  をそれぞれ折目を介して順に連設し、各折目を折曲し、左右の補強板（１３０）  （１３８）  を天部板（１３４）  にそれぞれ接着して左右に筒状部を形成してなり、
左右前天ブロック（１２）（１１）は、重合板（１８０）（１６０）、幅板（１８１）    （１６１）、重合板（１８２）  （１６２）  、連結板（１８３）  （１６３）  、重合板（１８４）  （１６４）  、幅板（１８５）  （１６５）  、重合板（１８６）  （１６６）  、重合板（１８７）  （１６７）  をそれぞれ折目を介して連設し、各重合板を折り重ねた前端面に切欠部（１９０）  （１７０）  を形成してなり、
後天ブロック（１３）は、それぞれが横に細長い内板（２００）  、外縦板（２０１）  、上板（２０２）  、縦板（２０３）  、下板（２０４）  、内縦板（２０５）  をそれぞれ折目を介して連設し、上板（２０２）  及び下板（２０４）  の左右両端に舌片部（２０７）  （２０８）  を設け、各折目を折曲して、左右両端の各舌片部（２０７）  （２０８）  を互いに並行にし、内板（２００）  を下板（２０４）  に、内縦板（２０５）  を外縦板（２０１）  にそれぞれ重ねて中央部を筒状体としてなり、
天枠（１４）は、左枠板（２１２）  、後枠板（２１１）  、右枠板（２２３）  、前枠板（２２２）  、中枠板（２２１）  、貼着片（２２０）  を折目を介して連設し、左枠板（２１２）  、後枠板（２１１）、右枠板  （２２３）、前枠板（２２２）  の下端に折目を介してそれぞれ折曲片（２１６）  （２１３）  （２２７）  （２２６）  を連設し、右枠板（２２３）  は、上方に差込孔（２２９）  を設け、前枠板（２２２）  は、後枠板（２１１）  の長さより短くしてなり、各折目を折曲して、後枠板（２１１）  の中央に貼着片（２２０）  を接着し、前記各折曲片（２１６）  （２１３）  （２２７）  （２２６）  を折曲し、天板（１０）の天部板（１３４）  に天枠（１４）を接着して、左方に前方を開放した左室を、右方に四方を囲まれた右室を形成してなり、
カセット固定部材（１７）は、貼着板（２３１）  、側板（２３２）  、幅板（２３３）  、側板（２３４）  、背板（２３５）  、側板（２３６）  、幅板（２３７）  、側板（２３８）  、背板（２３９）  、側板（２４０）  、幅板（２４１）  、側板（２４２）  、重合板（２４３）  、重合板（２４４）  をそれぞれ折目を介して連設し、各折目を折曲し、貼着板（２３１）  を背板（２３５）  に、重合板（２４３）  を背板（２３９）  にそれぞれ接着して、左右両端に矩形の筒状部を形成し、側板（２３６）  、幅板（２３７）  及び側板（２３８）  に囲まれてなる三角状筒状部を中央に形成してなり、仕切パレット（１８）は、各四隅に切欠部（２５２）  を設け、上下辺中央に切込部（２５３）  を設けてなり、
天蓋（１９）は、矩形の蓋板（２６０）  の左端、上端及び右端のそれぞれに折目を介して枠片（２６２）  を連設し、下端に差込片部（２６３）  を突設してなることを特徴とする請求項１記載のレーザープリンタ用包装部材。
【請求項３】
外装ケース（Ｃ）  が、左蓋板（２７６）  を連設した左側板（２７１）  、前蓋板（２７７）  を連設した前板（２７２）  、右蓋板（２８６）  を連設した右側板（２８１）  、後蓋板（２８７）  を連設した後板（２８２）  で形成された筒状体とし、左側板（２７１）  及び右側板（２８１）  の下方左右両側にジョイント孔（２７４）  （２８４）  をそれぞれ設けてなることを特徴とする請求項１又は２記載のレーザープリンタ用包装部材。
【発明の詳細な説明】
【０００１】
【発明の属する技術分野】
本発明は、レーザープリンタ用包装部材に関するものである。
【０００２】
【従来の技術】
従来、レーザープリンタを箱詰めする場合には、保管時や輸送時における外部からの衝撃で損傷しないように、発泡ポリスチロール、発泡ポリエチレン、空気封入クッションシート等の緩衝性のある合成樹脂材料が使用されている。
特に発泡ポリスチロールは、複雑な立体形状の成形が可能であり、緩衝性に優れ、軽量であり製造コストも安い等の利点から、緩衝材として広く使用されている。
しかし、これらの合成樹脂製の緩衝材は、燃焼処理する場合には高熱を発するため焼却炉を損傷し、又、そのまま廃棄処分する場合にはゴミ処理公害を招くことになる。
そこで、再生利用ができると共に、これらの公害を招くことなく燃焼処理のできる段ボールが見直されて使用されるようになっている。
【０００３】
【発明が解決しようとする課題】
一方、段ボールは、その製作方法からも明らかなように、段ボールの波方向によって、切断面や厚さ方向の緩衝力に差異がある。
又、レーザープリンタは、その構造上、重量バランスが異なり、材質の違い等により各部位の強度が異なることから、段ボールだけで十分な緩衝効果が得られるようにするために、種々の工夫が必要になる。
【０００４】
本発明は、前記従来技術に鑑み、再生利用ができると共に、焼却処理可能な段ボールを使用して、重量バランスが異なり、材質の違い等により各部位の強度が異なるレーザープリンタを損傷しないように保護できるレーザープリンタ用包装部材を提供することを課題とする。
【０００５】
【課題を解決するための手段】
上記目的を達成するため、請求項１の発明は、レーザープリンタを載置する底板部材（Ａ）  と、レーザープリンタの上面に載置する天板部材（Ｂ）  と、これらを覆い底板部材（Ａ）  と連結する外装ケース（Ｃ）  とからなり、
底板部材（Ａ）  は、底板（１）  の前部内側に前底ブロック（３）  を、後部内側に後底ブロック（４）  をそれぞれ接当させて配設し、前底ブロック（３）  及び後底ブロック（４）  の各載置板（５３）（９９）の左端間に左アングル（６）  を、同右端間に右アングル（５）  をそれぞれ載置してなり、
底板（１）  は、左から順に差込片（３０）を上下両側に連設した左内枠板（２１）、縦板（２２）、ジョイント孔（３１）を設けた左外枠板（２３）、底部板（２４）、ジョイント孔（３２）を設けた右外枠板（２５）、縦板（２６）、差込片（３３）を上下両側に連設した右内枠板（２７）をそれぞれ折目を介して連設し、この底部板（２４）の上下部に、後枠板（２８）及び前枠板（２９）をそれぞれ折目を介して連設し、ジョイント孔（３４）（３８）を有する補強片（３５）（３９）を左右両側に連設し、各折目を折曲して各枠板を起立させ、前後枠板（２９）（２８）の各補強片（３９）（３５）を左外枠板（２３）及び右外枠板（２５）にそれぞれ接着し、この左右両内側に、ジョイント孔（４０）を有する補強パッド（２）  を重ね、この補強パッド（２）  に左右内枠板（２１）（２７）を重ねて各ジョイント孔を連通させ、左右内枠板（２１）（２７）の各差込片（３０）（３３）を前後枠板（２９）（２８）にそれぞれ接着してなり、前底ブロック（３）  は、左から順に貼着片（５０）、底部板（５１）、縦板（５２）、左上板部（７１）、載置板（５３）、右上板部（７４）、中縦板部（５４）、前上板部（５５）、前縦板（５６）をそれぞれ折目を介して連設し、底部板（５１）は、左端中央に縦長矩形の挿入孔（６０）を設け、縦長の押込片部（６３）を底部板（５１）及び縦板（５２）に半切線（６２）を介して設け、縦板（５２）と前縦板（５６）との間に複数の切込線（６４）（６５）（６７）（６８）を設けて、上方には縦板（５２）の左張出部（７０）と左上板部（７１）を連設して設け、下方には縦板（５２）の右張出部（７３）と右上板部（７４）を連設して設け、中央部には載置板（５３）を形成し、この載置板（５３）の右端の上部から下部にかけてそれぞれ折目を介して連設する左縦片部（７６）、補強片（７７）、中縦板部（５４）、補強片（７７）、右縦片部（７８）を形成し、左縦片部（７６）に左上板部（７１）の前張出部（７２）を、中縦板部（５４）に前上板部（５５）を、右縦片部（７８）に右上板部（７４）の前張出部（７５）をそれぞれ折目を介して連設し、前上板部（５５）を折目を介して前縦板（５６）の中央に連設し、各折目で折曲して補強片（７７）を前縦板（５６）の内側に、貼着片（５０）を前縦板（５６）の外側にそれぞれ接着し、底部板（５１）と縦板（５２）との間の前記半切線（６２）を内側に押し込み、各押込片部（６３）を内側に凹ませた筒状体としてなり、
前記前底ブロック（３）  の左筒状部及び右筒状部には、積層縦貼段ボール（５８）の波方向が前底ブロック（３）  の長手方向と直交する方向になるように裁断した左上外前片体（８０）と左下外前片体（８１）を、右上外前片体（８４）と右下外前片体（８５）をそれぞれ積み重ねて配設し、これよりさらに奥の筒状部に、積層クロス貼段ボール（５９）を裁断してなる左下内前片体（８７）及び右下内前片体（８８）をそれぞれ配設し、この左下外前片体（８０）と左下内前片体（８７）の前方上部、右下外前片体（８５）と右下内前片体（８８）の前方上部、及び前記筒状部の内部前方中央部に、積層縦貼段ボール（５８）の波方向が前底ブロックの長手方向と同一方向になるように裁断した左上内前片体（８２）、右上内前片体（８６）及び中央前片体（８３）をそれぞれ配設してなり、後底ブロック（４）  は、後縦板（９０）、左右上板部（９１）（９２）、縦板（９３）、底部板（９４）、貼着片（９５）をそれぞれ折目を介して連設し、縦長の押込片部（１０４）  を底部板（９４）及び縦板（９３）に半切線（１０３）  を介して設け、後縦板（９０）の右中央に折目と連続する縦長矩形の打抜孔（９６）を穿設し、この打抜孔（９６）の上下端と連続する二条の切込線（９７）を縦板（９３）の中央部にかけて並行に設けて、補強縦板（９８）及び載置板（９９）を折目を介して縦板（９３）に連設し、各折目を折曲して、内側から順に補強縦板（９８）、後縦板（９０）及び貼着片（９５）を互いに重ねて接着し、底部板（９４）と縦板（９３）との間の前記半切線（１０３）  を内側に押し込み、各押込片部（１０４）  を内側に凹ませた筒状体としてなり、
前記後底ブロック（４）  の左筒状部及び右筒状部には、積層縦貼段ボールの波方向が後底ブロック（４）  の長手方向と直交する方向になるように裁断した左外後片体（１１０）  、右外後片体（１１１）  をそれぞれ配設し、これら左右外後片体（１１０）  （１１１）  の奥の筒状部に、積層クロス貼段ボール（５９）を裁断してなる左内後片体（１１３）  、右内後片体（１１４）  をそれぞれ配設し、載置板（９９）の中央後端部には、積層縦貼段ボール（５８）の波方向が後底ブロックの長手方向と同一方向になるように裁断してなる中央後片体（１１２）  を配設してなり、
右アングル（５）  は、横長の厚紙を長手方向で折曲して縦板部（１２０）  と横板部（１２１）  とを形成し、積層縦貼段ボール（５８）の短尺片体（１２３）  を、その波方向が長手方向と直交するように横板部（１２１）  の左端に貼着してなり、
左アングル（６）  は、横長の厚紙を長手方向で折曲して縦板部（１２５）  と横板部（１２６）  とを形成し、その波方向が長手方向と同一方向とした積層縦貼段ボール（５８）の長尺片体（１２７）  を、横板部（１２６）  の左端から右方にかけて貼着し、その波方向が長手方向と直交する方向とした積層縦貼段ボール（５８）の短尺片体（１２８）  を横板部（１２６）  の右端に貼着してなる構成である。
【０００６】
この構成によれば、底板（１）  の各側枠板に補強パッド（２）  を巻き込み補強し、前底ブロック（３）  及び後底ブロック（４）  の左右両端の筒状部に、段ボールの波方向が左右方向と直交する方向になるように裁断した積層縦貼段ボール（５８）を配設し、これらの段ボールが直接プリンタ底部側面と接触しないように左右アングル（５）  （６）  を配し、この左右アングル（５）  （６）  を載置した載置板（５３）（９９）の下部筒状部に、積層クロス貼段ボール（５９）を配しているため、段ボールの切断面でプリンタを傷めることなく、プリンタが左右方向にずれないように保持することができる。
又、前底ブロック（３）  及び後底ブロック（４）  の各上部中央、左右アングル（５）  （６）  の後端に、段ボールの波方向が前後方向と直交する方向になるように裁断した積層縦貼段ボールを配設し、プリンタの強度の弱い部分には、段ボールの切断面が直接当たらないようにして保護して、プリンタが前後方向にずれないように保持することができる。
さらに、各底ブロック（３）  （４）  の載置板（５３）（９９）の下部筒状部に、積層クロス貼段ボール（５９）を配しているため、前後左右からの衝撃を均一に分散することができ、左右アングル（５）  （６）  が厚紙製であることと相俟って、重量物であるプリンタを確実に保持することができる。
左右アングル（５）  （６）  を配設しているため、底部からの突き上げ力を分散することができ、プリンタの底面を傷めることがない。
以上の相互作用により、重量バランスが異なり、材質の違い等により各部位の強度が異なるレーザープリンタ（Ｇ）  を損傷しないように保護することができる。
【０００７】
請求項２の発明は、請求項１において、天板部材（Ｂ）  が、天板（１０）の左筒状部の前部に左前天ブロック（１２）を、右筒状部の前部に右前天ブロック（１１）をそれぞれ挿入し、この天板（１０）の左右筒状部の後部に後天ブロック（１３）の左右の舌片部（２０７）  （２０８）  を挿入し、天板（１０）の天部板（１３４）  に天枠（１４）を接着して、部品ケース（Ｆ）  を収納する左室を、複数のカセット（Ｅ）  を収納する右室を形成し、この右室の左右内側にカセット固定部材（１７）、仕切パッド（１８）及び天蓋（１９）をそれぞれ配設してなり、
天板（１０）は、左から順に補強板（１３０）  、右内縦板（１３１）  、右下板（１３２）  、右外縦板（１３３）  、天部板（１３４）  、左外縦板（１３５）  、左下板（１３６）  、内縦板（１３７）  、補強板（１３８）  をそれぞれ折目を介して順に連設し、各折目を折曲し、左右の補強板（１３０）（１３８）を天部板（１３４）  にそれぞれ接着して左右に筒状部を形成してなり、
右前天ブロック（１１）は、重合板    （１６０）  、幅板  （１６１）、重合板    （１６２）  、連結板（１６３）  、重合板  （１６４）、幅板（１６５）  、重合板（１６６）  、打抜孔（１７３）  重合板（１６７）  をそれぞれ折目を介して連設し、幅板（１６１）  の折目を谷折し重合板（１６２）  上に重合板（１６０）  を重ねて、折抜孔（１７３）  の上下の折目を山折りして、幅板（１６５）  の折目を谷折して、連結板（１６３）  の折目を谷折りして図１７の右前天ブロック（１１）のごとく扁平に折畳む、次に左前天ブロック（１２）は重合板（１８０）  、幅板（１８１）  、重合板（１８２）  、連結板（１８３）  、重合板（１８４）  、幅板（１８５）  、重合板（１８６）  、打抜孔（１９３）  、  重合板（１８７）  をそれぞれ折目を介して連設し、幅板（１８１）  の折目を谷折し重合板（１８２）  上に重合板（１８０）  を重ねて、折抜孔（１９３）  の上下の折目を山折りして、幅板（１８５）  の折目を谷折りして、連結板（１８３）  の折目を谷折りして図１７の左前天ブロック（１２）のごとく扁平に折畳む、各重合板を折り重ねた前端面に切欠部（１９０）（１７０）を形成する。
後天ブロック（１３）は、それぞれが横に細長い内板（２００）  、外縦板（２０１）  、上板（２０２）  、縦板（２０３）  、下板（２０４）  、内縦板（２０５）  をそれぞれ折目を介して連設し、上板（２０２）  及び下板（２０４）  の左右両端に舌片部（２０７）（２０８）を設け、各折目を谷折りして、左右両端の各舌片部（２０７）（２０８）を互いに並行にし、内板（２００）  を下板（２０４）  に、内縦板（２０５）  を外縦板（２０１）  にそれぞれ重ねて差込孔（２０６）  に差込片（２０５）  を差し込み中央部を筒状体に形成する。
天枠（１４）は、天枠半体（１５）は差込片（２１５）  、折曲片（２１６）  を有する左枠板（２１２）  、上部に切込部（２１４）  を有し、下部に折目を介して折曲片（２１３）  を有する後枠板（２１１）  からなり、天枠半体（１６）は、右から順に貼着片、右枠板、前枠板、中枠板、貼着片からなり、貼着片（２２４）  は折目を介して右枠板（２２３）  を連接し、右枠板の上部に差込孔（２２９）  、（２２９）  を形成し、下部に折目を介して折曲片（２２７）  、  （２２７）  、と差込片（２２８）  を有し、前枠板（２２２）  は折目を介して折曲片（２２６）  を形成し、中枠板は折目の上端に突出片部（２２５）  を介して貼着片（２２０）  を形成し、  前枠板（２２２）  は、後枠板（２１１）  の長さより短くしてなり、各折目を折曲して、後枠板（２１１）  の中央に貼着片（２２０）  をステープルで固着し、前記各折曲片（２１６）  （２１３）（２２７）（２２６）  を折曲し、天板（１０）の天部板（１３４）  に天枠（１４）を載置して、左方に前方を開放した左室を、右方に四方を囲まれた右室を形成してなり、
カセット固定部材（１７）は、貼着板（２３１）  、側板（２３２）  、幅板（２３３）  、側板（２３４）  、背板（２３５）  、側板  （２３６）、幅板（２３７）  、側板  （２３８）、背板（２３９）  、側板  （２４０）、幅板（２４１）  、側板（２４２）  、重合板（２４３）  、重合板（２４４）  をそれぞれ折目を介して連設し、各折目を折曲し、貼着板（２３１）ヲ背板（２３５）  に、重合板（２４３）  を背板（２３９）  にそれぞれ接着して、左右両端に矩形の筒状部を形成し、側板（２３６）  、幅板（２３７）  及び側板（２３８）  に囲まれてなる三角状筒状部（２４８）  を中央に形成してなり、また仕切パレット（１８）は、各四隅に切欠部（２５２）  を設け、上下辺中央に切込部（２５３）  を設けてなり、
天蓋（１９）は、矩形の蓋板（２６０）  の左端、上端及び右端のそれぞれに折目を介して枠片（２６２）  を連設し、下端に差込片部（２６３）  を突設してなる構成である。
【０００８】
この構成によれば、レーザープリンタの上部の左右側面及びを後面覆うように、天板部材（Ｂ）  の左右筒状部に前天ブロック（１１）（１２）及び後天ブロック（１３）を配設しているため、プリンタ上部の合成樹脂面を当該段ボールで傷めることなく、プリンタを包持できる。
又、各前天ブロック（１１）（１２）の前端面に切欠部（１７０）（１９０）を設けているため、衝撃吸収性に優れ、プリンタの上部角部を確実に保護することができる。
各前天ブロック（１１）（１２）を左右に分割しているため、プリンタのフロントドアへ衝撃が加わるのを防止できる。
【０００９】
請求項３の発明は、請求項１及び２において、外装ケース（Ｃ）  が、左蓋板（２７６）  を連設した左側板（２７１）  、前蓋板（２７７）  を連設した前板（２７２）  、右蓋板（２８６）  を連設した右側板（２８１）  、後蓋板（２８７）  を連設した後板（２８２）  で形成された筒状体とし、左側板（２７１）  及び右側板（２８１）  の下方左右両側にジョイント孔（２７４）（２８４）をそれぞれ設けてなる構成である。
【００１０】
この構成によれば、上面を天板部材（Ｂ）  で保持したプリンタを載置した底板部材（Ａ）  に、ジョイント孔で連結して一体化しているため、当該包装部材の中でプリンタががたついたり、ずれたりすることがなく、確実に保護することができ、保管や輸送が容易となる。
【００１１】
【発明の実施の形態】
本発明に係るレーザープリンタ用包装部材の実施の形態例を図面に基づき説明する。
本発明に係るレーザープリンタ用包装部材は、図１に示したように、レーザープリンタ（以下、単にプリンタと記す）（Ｇ）  を載置する底板部材（Ａ）  と、プリンタ（Ｇ）  の上面に載置する天板部材（Ｂ）  と、これらに覆い被せて底板部材（Ａ）  と連結して一体化する外装ケース（Ｃ）  とからなるものである。
【００１２】
以下に、底板部材（Ａ）  について、図面に基づき説明する。
底板部材（Ａ）  は、図１４に示すように、底板（１）  の前部内側に前底ブロック（３）  を、後部内側に後底ブロック（４）  をそれぞれ接当させて配設し、前底ブロック（３）  の載置板（５３）の左端と後底ブロック（４）  の載置板（９９）の左端とに左アングル（６）  を、前底ブロック（３）  の載置板（５３）の右端と後底ブロック（４）  の載置板（９９）の右端とに右アングル（５）  をそれぞれ載置してなるものである。
【００１３】
底板（１）  は、図２に示すように、左から順に左内枠板（２１）、縦板（２２）、左外枠板（２３）、底部板（２４）、右外枠板（２５）、縦板（２６）、右内枠板（２７）をそれぞれ折目を介して連設し、底部板（２４）の上部には後枠板（２８）を、下部には前枠板（２９）をそれぞれ折目を介して連設してなるものである。
左内枠板（２１）は、上下部にそれぞれ右方に行くに従って少許狭くなった折目を介して差込片（３０）を連設してなり、この右端に、上下部が右方に行くに従って少許幅広になった細長い縦板（２２）を折目を介して連設してなる。
左外枠板（２３）は、上下幅が右方に行くに従って少許幅広になっており、上方及び下方に縦長のジョイント孔（３１）を穿設してなり、右外枠板（２５）は、上下幅が右方に行くに従って少許幅狭くなっており、その上方及び下方に長孔のジョイント孔（３２）を穿設してなり、この右端に、上下部が右方に行くに従って少許幅狭になった細長い縦板（２６）を折目を介して連設してなる。
右内枠板（２７）は、上下部にそれぞれ右方に行くに従って少許広がった折目を介して差込片（３３）を連設してなる。
後枠部（２８）は、左右両側に折目を介してジョイント孔（３４）を有する補強片（３５）を少許上方へ傾斜した状態で連設してなる。
前枠板（２９）は、下部中央に接当壁部（３６）を設け、この接当壁部（３６）の両側に互いに対向する折曲片（３７）を折目を介して設け、ジョイント孔（３８）を有する補強片（３９）を前枠板（２９）の左右両側に折目を介して少許下方に傾斜した状態で連設してなる。
ここで、各補強片（３５）（３９）に設けたジョイント孔（３４）（３８）は、少し縦長矩形で、その中央部を長孔のジョイント孔（３１）（３２）と同じ長さに、少許膨出させてなるものである。
【００１４】
そして、各折目を谷折りにして、各補強片（３５）（３９）を折り曲げ、前後枠板（２９）（２８）を起立させた後、折目を谷折りにして各補強片（３５）（３９）と左外枠板（２３）及び右外枠板（２５）とをそれぞれ接着して、各ジョイント孔（３１）（３２）（３４）（３８）をそれぞれ重ねて連通させ、図４に示す状態とする。この左右外枠板（２３）（２５）の内側に補強パッド（２）  を重ね、各ジョイント孔（３１）（３２）（３４）（３８）（４０）をそれぞれ連通させ、折目を谷折りにして、当該補強パッド（２）  に左右内枠板（２１）（２７）をそれぞれ重ね、各差込片（３０）（３３）を前後枠板（２９）（２８）にそれぞれ接着して、各内外枠板（２１）（２３）（２５）（２７）の間に補強パッド（２）  を重合し、折曲片（３７）を折曲して接当壁部（３６）の内側に重ね、図５に示す状態に組み立てる。当該接当壁部（３６）を二重とすることにより、より緩衝力を効果的に発揮させることができる。
なお、補強パッド（２）  は、図３に示すように、長手方向と段ボールの波方向とが直交する方向になるように段ボールを裁断し、横長矩形で左右両側にジョイント孔（４０）を穿設してなるものである。
左右両側の枠板は、補強パッド（２）  を巻き込んだ三重構造なっているため、左右方向からの衝撃を効果的に吸収でき、又、当該内枠板（２１）（２７）に接当する各片体（後述）がジョイント孔（３１）（３２）（３４）（３８）（４０）に食い込むのを防止できる。
【００１５】
前底ブロック（３）  は、図６に示すように、貼着片（５０）、底部板（５１）、縦板（５２）、載置板（５３）、中縦板部（５４）、前上板部（５５）、前縦板（５６）をそれぞれ折目を介して連設してなるものである。
底部板（５１）は、左端中央に縦長矩形の挿入孔（６０）を折目と連続して設け、右方から縦板（５２）の左方にかけて三本の切込線（６１）を横に並行に設け、この上部の切込線（６１）から下部の切込線（６１）にかけて三本の半切線（６２）を、その真ん中の半切線（６２）が底部板（５１）と縦板（５２）との間の折目と連続するように縦に設けて、上下に連続する縦長の押込片部（６３）を底部板（５１）及び縦板（５２）にそれぞれ形成する。縦板（５２）の右方折目の上端及び下端から前縦板（５６）の近傍にかけて二条の切込線（６４）（６５）を設け、この切込線（６４）（６５）の間でさらに右方に略矩形の打抜孔（６６）の上辺及び下辺と連続する二条の切込線（６７）（６８）を上下に二組設けて、縦板（５２）と前縦板（５６）との間に各部位を形成する。
すなわち、上方には、縦板（５２）の左張出部（７０）と左上板部（７１）を連設させて設け、下方には、縦板（５２）の右張出部（７３）と右上板部（７４）を連設させて設け、さらに二条の前記切込線（６４）（６５）間には、折目を介して連設する載置板（５３）を形成し、この載置板（５３）の上下に円形の打抜孔（５７）を設け、載置板（５３）の右端の上部から下部にかけてそれぞれ折目を介して連設する左縦片部（７６）、補強片（７７）、中縦板部（５４）、補強片（７７）、右縦片部（７８）を形成する。左縦片部（７６）に左上板部（７１）の前張出部（７２）を、中縦板部（５４）に前上板部（５５）を、右縦片部（７８）に右上板部（７４）の前張出部（７５）をそれぞれ折目を介して連設し、前上板部（５５）を折目を介して前縦板（５６）の中央に連設する。
そして、折目を谷折りし、折目を山折りして、補強片（７７）を前縦板（５６）の内側に重ねて接着し、各折目を谷折りして、前縦板（５６）の外側に貼着片（５０）を重ねて接着し、底部板（５１）と縦板（５２）との中央の前記半切線（６２）からなる稜線部を内側に押し込み、各押込片部（６３）を内側に凹ませ、図９に示す筒状体に組み立てる。
【００１６】
前記前底ブロック（３）  の各筒状部には、図７に示すような、段ボールの波方向を一定方向にして積層してなる積層縦貼段ボール（５８）や、図８に示すような、段ボールの波方向を縦横に交互に直交させて積層してなる積層クロス貼段ボール（５９）を、各部位の形状に合わせてそれぞれ裁断して配設する。
【００１７】
すなわち、前記前底ブロック（３）  前縦板（５６）の左端、左上板部（７１）、縦板（５２）の左張出部（７０）及び底部板（５１）の左端で囲まれる左端筒状部には、段ボールの波方向が前底ブロック（３）  の長手方向と直交する方向になるように積層縦貼段ボール（５８）を裁断した左上外前片体（８０）、左下外前片体（８１）を積み上げて配設する。前縦板（５６）の左端、左上板部（７１）の前張出部（７２）、左縦片部（７６）で囲まれる部位には、波方向が前底ブロック（３）  の長手方向と同一方向になるように積層縦貼段ボール（５８）を裁断した左上内前片体（８２）を配設する。
前縦板（５６）の中央、前上板部（５５）、中縦板部（５４）及び底部板（５１）で囲まれる前方中央筒状部には、波方向が前底ブロック（３）  の長手方向と同一方向になるように積層縦貼段ボール（５８）を裁断した中央前片体（８３）を、底部板（５１）の挿通孔（６０）から前上板部（５５）の裏面に接当するまで挿入して配設する。
前縦板（５６）の右端、右上板部（７４）、縦板（５２）の右張出部（７３）及び底部板（５１）の右端で囲まれる右端筒状部には、積層縦貼段ボール（５８）の波方向が前底ブロック（３）  の長手方向と直交する方向になるように裁断した右上外前片体（８４）及び右下外前片体（８５）を積み上げて配設する。
前縦板（５６）の右端、右上板部（７４）の前張出部（７５）、右縦片部（７８）で囲まれる部位には、段ボールの波方向が前底ブロック（３）  の長手方向と同一方向になるように積層縦貼段ボール（５８）を裁断した右上内前片体（８６）を配設する。
前記左右端筒状部のさらに奥の、前縦板（５６）の左方、載置板（５３）の左端、縦板（５２）の左方及び底部板（５１）の左方で囲まれる左方筒状部、及び前縦板（５６）の右方、載置板（５３）の右端、縦板（５２）の右方及び底部板（５１）の右方で囲まれる右方筒状部に、積層クロス貼段ボール（５９）を裁断してなる左下内前片体（８７）、右下内前片体（８８）をそれぞれ配設する。
前記したように、前底ブロック（３）  の各押込片部（６３）を内側に凹ませているため、載置板（５３）の下部の筒状部に配設する積層クロス貼段ボール（５９）製の左右両下内前片体（８７）（８８）が当該押込片部（６３）の端部に接当し、当該筒状部の奥に移動することが防止でき、落下時の底部板（５１）からの突き上げ衝撃を効果的に吸収できる。
【００１８】
後底ブロック（４）  は、図１０に示すように、後縦板（９０）、左右上板部（９１）（９２）、縦板（９３）、底部板（９４）、貼着片（９５）をそれぞれ折目を介して連設し、後縦板（９０）の右中央に折目と連続する縦長矩形の打抜孔（９６）を穿設し、この打抜孔（９６）の上下端と連続する二条の切込線（９７）を縦板（９３）の中央部にかけて並行に設け、補強縦板（９８）及び載置板（９９）を折目を介して縦板（９３）に連設してなる。
後縦板（９０）は、前記打抜孔（９６）により右辺中央に切欠部（１０１）  を形成してなり、縦板（９３）と底部板（９４）との間の折目中央には、縦板（９３）の右方から底部板（９４）の中央にかけて三本の切込線（１０２）  を横に並行に設け、この上部の切込線（１０２）  から下部の切込線（１０２）  にかけて三本の半切線（１０３）  を、その真ん中の半切線（１０３）  が縦板（９３）と底部板（９４）との間の折目と兼用して設けて、上下に連続する縦長の押込片部（１０４）  を縦板（９３）及び底部板（９４）にそれぞれ形成する。
載置板（９９）は、折目と連続する逆コ字状の切込線を設けて舌片部（１０５）  を左端中央に形成し、右方上下部に円形の打抜孔（１０６）  を穿設してなる。
そして、各折目を谷折りして、内側から順に補強縦板（９８）、後縦板（９０）及び貼着片（９５）を互いに重ねて接着し、載置板（９９）の舌片部（１０５）  を後縦板（９０）の切欠部（１０１）  に載置し、底部板（９４）と縦板（９３）との中央の前記半切線（１０３）  からなる稜線部を内側に押し込み、各押込片部（１０４）  を内側に凹ませ、図１１に示す筒状体に組み立てる。
ここで、前後底ブロック（３）（４）の左右両端の筒状部の前後幅を、それぞれ同一の幅とすることにより、落下による衝撃を均一に分散できて、変形を防止でき、これら前後底ブロック（３）（４）を再使用可能としている。
【００１９】
前記後底ブロック（４）  の後縦板（９０）の左端、左上板部（９１）、縦板（９３）の左端及び底部板（９４）の左端で囲まれる左端筒状部、及び、後縦板（９０）の右端、右上板部（９２）、縦板（９３）の右端及び底部板（９４）の右端で囲まれる右端筒状部には、波方向が後底ブロック（４）  の長手方向と直交する方向になるように積層縦貼段ボールを裁断した左外後片体（１１０）  、右外後片体（１１１）  を配設する。
載置板（９９）の後部中央の舌片部（１０５）  には、波方向が後底ブロック（４）  の長手方向と同一方向になるように積層縦貼段ボール（５８）を裁断した短尺の中央後片体（１１２）  を配設する。
積層クロス貼段ボール（５９）を、後縦板（９０）の左方、載置板（９９）の左端、縦板（９３）の左方及び底部板（９４）の左方で囲まれる左方筒状部、及び、後縦板（９０）の右方、載置板（９９）の右端、縦板（９３）の右方及び底部板（９４）の右方で囲まれる右方筒状部に、積層クロス貼段ボール（５９）を裁断してなる左内後片体（１１３）  、右内後片体（１１４）  をそれぞれ配設する。
【００２０】
右アングル（５）  は、図１２に示すように、横長の厚紙を長手方向で折曲して縦板部（１２０）  と横板部（１２１）  とを形成し、縦板部（１２０）  の幅より横板部（１２１）  の幅を少許狭くする。積層縦貼段ボール（５８）製の短尺片体（１２３）  を、その波方向が長手方向と直交するように横板部（１２１）  の左端に貼着してなる。
【００２１】
左アングル（６）  は、図１３に示すように、横長の厚紙を長手方向で折曲して縦板部（１２５）  と横板部（１２６）  とを形成し、縦板部（１２５）  の幅より横板部（１２６）  の幅を広くする。その波方向が長手方向と同一方向とした積層縦貼段ボール製の長尺片体（１２７）  を、横板部（１２６）  の左端から右方にかけて貼着し、その波方向が長手方向と直交する方向とした積層縦貼段ボール製の短尺片体（１２８）  を横板部（１２６）  の右端に貼着してなる。
前記のように左右アングル（６）（５）の縦板部の幅と横板部の幅とを違えることにより、これらアングル（６）（５）が厚紙製のファイバーアングルであるため、強固で力を分散させることができることと相俟って、プリンタの強度差のある底部の各部位を効果的に保護することができる。
【００２２】
以下に、天板部材（Ｂ）  について、図面に基づき説明する。
天板部材（Ｂ）  は、図１に示すように、天板（１０）の左筒状部の前部に左前天ブロック（１２）を、右筒状部の前部に右前天ブロック（１１）をそれぞれ挿入し、この天板（１０）の左右筒状部の後部に後天ブロック（１３）の舌片部（２０７）（２０８）を挿入し、天板（１０）の天部板（１３４）  に天枠（１４）を接着して、部品ケース（Ｆ）  を収納する左室を、複数のカセット（Ｅ）  を収納する右室を形成し、この右室の左右内側にカセット固定部材（１７）を配設し、この両カセット固定部材（１７）の間に仕切パッド（１８）を、上部に天蓋（１９）をそれぞれ配設してなるものである。
【００２３】
天板（１０）は、図１６に示すように、補強板（１３０）  、右内縦板（１３１）  、右下板（１３２）  、右外縦板（１３３）  、天部板（１３４）  、左外縦板（１３５）  、左下板（１３６）  、左内縦板（１３７）  、補強板  （１３８）をそれぞれ折目を介して順に連設してなるものである。補強板（１３０）  、右内縦板（１３１）  、右下板（１３２）  、右外縦板（１３３）  は、二条の平行な切込線（１４０）  を左端から天部板（１３４）  の左端折目まで設けて、これらを三分割し、上方の切込線（１４０）  に連続し、上部の右内縦板（１３１）  の下部右方から天部板（１３４）  の折目にかけて横長の打抜孔（１４１）  を穿設し、下方の切込線（１４０）  に連続し、下部の右内縦板（１３１）  の上部右方から天部板（１３４）  の折目にかけて横長で略逆凸状の打抜孔（１４２）  を穿設して右下板（１３２）  に係止部（１４３）  を形成し、この二条の切込線（１４０）  の間における右下板（１３２）  及び右外縦板（１３３）  の中央に横長の打抜孔（１４４）  を穿設してなる。
上部の補強板（１３０）  の上端は、折目と連続して折目の上方に至る逆Ｌ字状の切込線（１４５）  を設けて張出片部（１４６）  を設け、下部の右内縦板（１３１）  は、前記補強板（１３０）  や右下板（１３２）  の幅より幅狭に形成し、右後切欠部（１５１）  及び右前切欠部（１５２）  を形成する。
天部板（１３４）  は、左右両端の近傍の中央部には、縦に細長い長細孔（１４７）  を穿設してなる。
左外縦板（１３５）  及び左下板（１３６）  は、天部板（１３４）  の右端から内縦板（１３７）  の左端にかけての各折目の上方及び下方に二個の横長の打抜孔（１４８）（１４９）を穿設して、それぞれ三分割にしてなり、下方の打抜孔（１４９）  を略逆凸状として左下板（１３６）  に係止部（１５０）  を形成し、左内縦板（１３７）  の上下幅を補強板（１３８）  の上下幅より幅狭に形成し、左後切欠部（１５３）  及び左前切欠部（１５４）  を形成している。
各折目を谷折りして各補強板（１３０）  を天部板（１３４）  に重ねて接着し、各折目を谷折りして補強板（１３８）  を天部板（１３４）  に重ねて接着し、図１７に示すように、天部板（１３４）  の左右両側に、その前面及び後面の内側に切欠部（１５２）（１５４）（１５１）（１５３）を設けた筒状部を形成して、組み立てる。このように前面の内側に切欠部（１５２）（１５４）を設けた筒状部を形成しているため、後述する左右前天ブロック（３）（４）を当該筒状部の前部に収納したときに、前天ブロック（３）（４）の各張出部（１７１）（１９１）が内側に少許突出して、プリンタの前面上部を効果的に保護する。
【００２４】
右前天ブロック（１１）は、図１８に示すように、重合板（１６０）  、幅板（１６１）  、重合板（１６２）  、連結板  （１６３）、重合板（１６４）  、幅板  （１６５）、重合板（１６６）  、重合板（１６７）  をそれぞれ折目を介して連設してなる。
各重合板（１６０）（１６２）（１６４）（１６６）（１６７）  は、折り重ねられるように同一形状で、例えば、最左端の重合板（１６０）  でその形状を説明すると、上辺及び右辺を一直線状に形成し、左辺の略中央には略すり鉢状の切欠部（１７０）  を設け、下辺の中央から右端折目にかけて切り込み、この左下角に張出部（１７１）  を形成してなるものである。
そして、各重合板（１６０）（１６２）（１６４）（１６６）（１６７）  を折り重ねたときに、一辺が前記切欠部（１７０）  のように少許凹んだ状態となるように、重合板（１６２）  の右端辺と重合板（１６４）  の左端辺との中央を連結板（１６３）  で連設すると共に、この連結板（１６３）  の上下端にスリット（１７２）  を設け、この重合板（１６４）  と重合板（１６６）  とのを幅板（１６５）  で連設し、この重合板（１６６）  と重合板（１６７）  との間に、前記切欠部（１７０）  を二つ、折目で合わせた形状の打抜孔（１７３）  を穿設してなる。
又、幅板（１６１）  の右折目中央に当該折目と連続する略コ字状の切込線を設けて係止片（１７４）  を形成してなる。
各折目を谷折りし、折目を山折りした後、折目を谷折りして切欠部（１７０）  に連結板（１６３）  を押し当てた状態で各重合板を折り重ね、前端面に切欠部（１７０）  及び張出部（１７１）  を形成した図１７に示す状態に組み立てる。
【００２５】
左前天ブロック（１２）は、図１９に示すように、重合板（１８０）  、幅板（１８１）  、重合板（１８２）  、連結板（１８３）  、重合板（１８４）  、幅板（１８５）  、重合板（１８６）  、重合板（１８７）  をそれぞれ折目を介して連設し、前記右前天ブロック（１１）と同形としてなるものであり、各重合板を折り重ね、前端面に切欠部（１９０）  及び張出部（１９１）  を形成した図１７に示す状態に組み立てる。このとき、左前天ブロック（１２）の切欠部（１９０）  の底辺（１９５）  の方が、右前天ブロック（１１）の切欠部（１７０）  の底辺（１７５）  の幅より狭く形成してなるものである。
これにより、プリンタの上部にかかる衝撃を調整しているものである。
又、幅板（１８５）  の左折目中央に当該折目と連続する略コ字状の切込線を設けて係止片（１９４）  を形成してなる。
【００２６】
後天ブロック（１３）は、図２０に示すように、それぞれが横に細長い内板（２００）  、外縦板（２０１）  、上板（２０２）  、縦板（２０３）  、下板（２０４）  、内縦板（２０５）  をそれぞれ折目を介して連設し、外縦板（２０１）  の方中央に横に細長い差込孔（２０６）  を折目と連続して穿設し、上板（２０２）  は、内板（２００）  及び外縦板（２０１）  の左右端を囲むように舌片部（２０７）  を左右両端に設けてなり、下板（２０４）  は、内縦板（２０５）  の左右両端を囲むように舌片部（２０８）  を左右両端に設けてなり、内縦板（２０５）  の下端中央に差込片（２０９）  を突設してなる。
そして、各折目を谷折りして、内板（２００）  を下板に、内縦板（２０５）  を外縦板（２０１）  にそれぞれ重ね、差込片（２０９）  を差込孔（２０６）  に差し込み、各舌片部（２０７）（２０８）を互いに並行にし、中央部を筒状体として、図１７に示したように組み立てる。
【００２７】
天枠（１４）は、図２１  に示すように、二種類の天枠半体（１５）（１６）を組み立ててな    るものである。
天枠半体（１５）は、後枠板（２１１）  に左枠板（２１２）  を折目を介して連設してなり、後枠板（２１１）  は、下端に折目を介して折曲片（２１３）  を連設し、上端略中央に切込部（２１４）  を形成してなり、左枠板（２１２）  は、下端略中央に差込片（２１５）  を突設し、下端右端に折曲片（２１６）  を折目を介して連設してなるものである。          他方の天枠半体（１６）は、貼着片（２２０）  、中枠板（２２１）  、前枠板（２２２）  、右枠板（２２３）  及び貼着片（２２４）  をそれぞれ折目を介して連設し、中枠板（２２１）  は、左上端に折目の上端と連続して切込線を設けて突出片部（２２５）  を形成し、前枠板（２２２）  は、下端に折目を介して折曲片（２２６）  を連設し、右枠板（２２３）  は、下端左右両側に折目を介して折曲片（２２７）  を連設し、下端中央に差込片（２２８）  を突設し、上方左右に横に細長い差込孔（２２９）  をそれぞれ穿設してなるものである。
そして、天枠半体（１５）の折目を山折りし、他方の天枠板（１６）の各折目を山折りし、貼着片（２２４）  を後枠板（２１１）  の左端裏面に接着し、中枠板（２２１）  の突出片部（２２５）  を後枠板（２１１）  の切込部（２１４）  にはめ込み、貼着片（２２０）  を後枠板（２１１）  の裏面に接着し、図２２に示すように組み立てる。
【００２８】
カセット固定部材（１７）は、図２３に示すように、貼着板（２３１）  、側板（２３２）  、幅板（２３３）  、側板（２３４）  、背板（２３５）  、側板（２３６）  、幅板（２３７）  、側板（２３８）  、背板（２３９）  、側板（２４０）  、幅板（２４１）  、側板（２４２）  、重合板（２４３）  、重合板（２４４）  をそれぞれ折目を介して連設し、貼着板（２３１）  の右端に逆コ字状の切込線を設けて補強片部（２４５）  を形成し、側板（２４２）  の右端中央に折目と連続する逆コ字状の切込線を設け切込部（２４６）  を形成し、重合板（２４４）  の右端中央に張出片部（２４７）  を形成してなるものである。
そして、折目を山折りし、折目を谷折りして、補強片部（２４５）  を背板（２３５）  の左端に、その背板（２３５）  の右方に貼着板（２３１）  を、重合板（２４３）  を背板（２３９）  にそれぞれ接着し、重合板（２４４）  を折り重ね、前記張出片部（２４７）  を側板（２４２）  の切込部（２４６）  にはめて、左右両端に矩形の筒状部を形成し、図２４に示した状態にした後、折目を山折りし、折目を谷折りし、側板（２３６）  、幅板（２３７）  及び側板（２３８）  に囲まれてなる三角筒状部（２４８）  を中央に形成した状態に組み立てる。
【００２９】
仕切パレット（１８）は、図２５に示すように、中央に略Ｈ字状の打抜孔（２５１）        を穿設し、各四隅に切欠部（２５２）    を設け、上下辺中央に切込部（２５３）  を設けてなるものである。
【００３０】
天蓋（１９）は、図２６に示すように、矩形の蓋板（２６０）  の中央に横長の打抜孔（２６１）  を穿設し、この蓋板（２６０）  の左端、上端及び右端のそれぞれに折目を介して枠片（２６２）  を連設し、蓋板（２６０）  の下端に二つの差込片部（２６３）  を突設してなるものである。
【００３１】
以下に、天板部材（Ｂ）  の組立方法について、図面に基づき説明する。
天板部材（Ｂ）  は、図１に示すように、天板（１０）の左筒状部の前部に左前天ブロック（１２）を、右筒状部の前部に右前天ブロック（１１）を、各前天ブロック（１１）（１２）の係止片（１７４）（１９４）を起立させた状態で、それぞれ挿入し、天板（１０）の係止部（１４３）（１５０）に各前天ブロック（１１）（１２）の係止片（１７４）（１９４）を係止させ、この天板（１０）の左右筒状部の後部に後天ブロック（１３）の舌片部（２０７）（２０８）を挿入する。
このように、各係止片（１７４）（１９４）が天板（１０）の係止部（１４３）（１５０）に係止するため、左、右前天ブロック（１１）（１２）が天板（１０）の左右筒状部に脱落することなく確実に配設でき、各前天ブロック（１１）（１２）の前端面に切欠部（１７０）（１９０）及び張出部（１７１）（１９１）を設けていることと相俟って、緩衝性を向上させることができ、レーザープリンタの上部角部を確実に保護することができる。又、前天ブロック（１１）（１２）を左右に分割して配設しているため、プリンタのフロントドアへ衝撃が加わるのを防止することができる。
天枠（１４）の各折曲片（２１３）（２１６）（２２６）（２２７）を折曲し、天枠（１４）の差込片（２１５）  を天板（１０）の細長孔（１４７）  に差し込み、天板  （１０）  の天部板  （１３４）に天枠（１４）の各折曲片（２１３）（２１６）（２２６）（２２７）を載置して、左方に前方を開放した左室を、右方に四方を囲まれた右室を形成し、この右室の左右内側にカセット固定部材（１７）をそれぞれ配設する。
この右室に二個のカセットを収納した後、仕切パッド（１８）の切込部（２５３）  や切欠部（２５２）  をカセット固定部材（１７）の突出筒状部にはめ合わせて内装し、この仕切パッド（１８）上に二個のカセットを置き、天蓋（１９）の差込片（２６３）  を右室の差込孔（２２９）  に差し込み、当該右室を天蓋（１９）で蓋をし、左室に部品ケースを収納してなるものである。天蓋（１９）の差込片部（２６３）  を天枠（１４）の差込孔（２２９）  に差し込んで、天蓋（１９）を装着することができ、作業性に優れている。
【００３２】
以下に、外装ケース（Ｃ）  について、図面に基づき説明する。
外装ケース（Ｃ）  は、図２７に示すように、二枚の外装ケース半体（２７０）（２８０）を連結してなるものである。
外装ケース半体（２７０）  は、左側板（２７１）  、前板（２７２）  及び貼着板（２７３）  をそれぞれ折目を介して順に連設し、左側板（２７１）  の下方左右両側にジョイント孔（２７４）  を、上方左右両側に長円形の切込線により囲まれてなる持上孔（２７５）  をそれぞれ設け、この左側板（２７１）  の上部に左蓋板（２７６）  を折目を介して連設し、前板（２７２）  の上部に折目を介して前蓋板（２７７）  を連設してなるものである。
他方の外装ケース半体（２８０）  は、右側板（２８１）  、後板（２８２）  及び貼着板（２８３）  をそれぞれ折目を介して順に連設し、下方左右にジョイント孔（２８４）  を、上方左右両側に切込線及び折目により囲まれてなる長円形の持上孔（２８５）  をそれぞれ設け、この右側板（２８１）  の上部に右蓋板（２８６）  を折目を介して連設し、後板（２８２）  の上部に折目を介して後蓋板（２８７）  を連設してなるものである。
そして、外装ケース半体（２７０）  の貼着板（２７３）  を外装ケース半体（２８０）  の右側板（２８１）  の左端に接着し、各折目を谷折りし、貼着板（２８３）  を左側板（２７１）  に接着して、左側板（２７１）  、前板（２７２）  、右側板（２８１）  及び後板（２８２）  で形成してなる筒状体の外装ケース（Ｃ）  に組み立てる。
【００３３】
次に、本発明に係るレーザープリンタ用包装部材の使用方法について、図面に基づき説明する。
レーザープリンタ（Ｇ）  の底部突起（図示せず）を底板部材（Ａ）  の載置板（５３）（９９）の円形の各打抜孔（５７）（１０６）  に挿入して、底板部材（Ａ）  の前底ブロック（３）  の載置板（５３）、後底ブロック（４）  の載置板（９９）、左右アングル（５）（６）の横板部（１２１）（１２６）に、プリンタ（Ｇ）  の底部を載置し、プリンタ（Ｇ）  の前面下部を前底ブロック（３）  の中縦板部（５４）、左右縦片部（７６）（７８）に接当させ、プリンタ（Ｇ）  の後面下部を後底ブロック（４）  及び左右アングル（５）（６）の各短尺片体（１２３）（１２８）に接当させ、プリンタ（Ｇ）  の左右面下部を左右アングル（５）（６）の縦板部（１２０）（１２５）に接当させて、プリンタ（Ｇ）  を底板部材（Ａ）  に載置する。
このプリンタ（Ｇ）  の上面に天板部材（Ｂ）  の天板（１０）を載置し、プリンタ（Ｇ）  の左右側面上部に天板部材（Ｂ）  の左右内縦板（１３７）（１３１）を、後面上部に後天ブロック（１３）の内縦板（２０５）  をそれぞれ接当させる。
この天板部材（Ｂ）  の右室に二個のカセット（Ｅ）  を収納した後、仕切パッド（１８）の切込部（２５３）  や切欠部（２５２）  をカセット固定部材（１７）の突出部にはめ合わせて内装し、この仕切パッド（１８）上に二個のカセット（Ｅ）  を置き、天蓋（１９）の差込片（２６３）  を右室の差込孔（２２９）  に差し込み、当該右室を天蓋（１９）で蓋をし、左室に部品ケース（Ｆ）  を収納する。
この後、外装ケース（Ｃ）  を天板部材（Ｂ）  、プリンタ（Ｇ）  、底板部材（Ａ）  の順に覆い被せ、底板部材（Ａ）  のジョイント孔（３１）（３２）と外装ケース（Ｃ）  のジョイント孔（２８４）  とを重ね、このジョイント孔（３１）（３２）（２８４）  にジョイント部材（Ｄ）  を係止して、外装ケース（Ｃ）  と底板部材（Ａ）  とを連結し、外装ケース（Ｃ）  の左右蓋板（２７６）（２８６）及び前後蓋板（２７７）（２８７）を折曲して蓋をし、レーザープリンタ（Ｇ）  を包装するものである。
ここで、ジョイント部材（Ｄ）  は、市販のものを使用する。
【００３４】
前記実施の態様例では、左上外前片体（８０）と左下外前片体（８１）とを、右上外前片体（８４）と右下外前片体（８５）とをそれぞれ別々に形成した例で説明したが、これらを一体的に形成したものとしてもよい。
また前記実施の態様例では、天板（１０）の左側を三分割した補強板（１３０）  の例で説明したが、右側と同様に一体化した補強板としてもよい。
さらに前記実施の態様例では、天枠（１４）を一組の天枠半体（１５）（１６）で形成した例で説明したが、右枠板（２２３）  に後枠板（２１１）  を折目を介して連設して一体化したものとしてもよい。
そしてまた前記実施の態様例では、右前天ブロック（１１）、左前天ブロック（１２）に係止片（１７４）  （１９４）  を形成したが、これはなくてもよい。
また前記実施の態様例では、外装ケース（Ｃ）  を一組の外装ケース半体（２７０）（２８０）で形成した例で説明したが、前板（２７２）  に右側板（２８１）  を連設したり、後板（２８２）  に左側板（２７１）  を連設してりして一体化したものとしてもよい。
【００３５】
【発明の効果】
以上の説明から明らかなように本発明に係るレーザープリンタ用包装部材は、以下に列挙する実用上の様々の優れた効果を有する。
【００３６】
底板部材Ａは、底板（１）  の各側枠板に補強パッド（２）  を巻き込み補強し、前底ブロック（３）  及び後底ブロック（４）  の左右両端の筒状部に、段ボールの波方向が左右方向と直交する方向になるように裁断した積層縦貼段ボール（５８）を配設し、これらの段ボールが直接プリンタ底部側面と接触しないように左右アングル（５）  （６）  を配し、この左右アングル（５）（６）を載置した載置板（５３）（９９）の下部筒状部に、積層クロス貼段ボール（５９）を配しているため、段ボールの切断面でプリンタを傷めることなく、またプリンタが左右方向にずれないように保持することができる。
【００３７】
又、前底ブロック（３）  及び後底ブロック（４）  の各上部中央、左右アングル（５）  （６）  の後端に、段ボールの波方向が前後方向と直交する方向になるように裁断した積層縦貼段ボールを配設し、プリンタの強度の弱い部分には、段ボールの切断面が直接当たらないようにして保護して、プリンタが前後方向にずれないように保持することができる。
【００３８】
さらに、各底ブロック（３）（４）の載置板（５３）（９９）の下部筒状部に、積層クロス貼段ボール（５９）を配しているため、前後左右からの衝撃を均一に分散することができ、左右アングル（５）（６）が厚紙製であることと相俟って、重量物であるプリンタを確実に保持することができる。
【００３９】
左右アングル（５）（６）を配設しているため、底部からの突き上げ力を分散することができ、プリンタの底面を傷めることがない。
以上の相互作用により、重量バランスが異なり、材質の違い等により各部位の強度が異なるレーザープリンタ（Ｇ）  を損傷しないように保護することができる。
【００４０】
天板部材（Ｂ）  は、レーザープリンタの上部の左右側面及び後面覆うように、天板部材（Ｂ）  の左右筒状部に前天ブロック（１１）（１２）及び後天ブロック（１３）を配設しているため、プリンタ上部の合成樹脂面を当該段ボールで傷めることなく、プリンタを包持できる。
【００４１】
又、各前天ブロック（１１）（１２）の前端面に切欠部（１７０）（１９０）を設けているため、衝撃吸収性に優れ、プリンタの上部角部を確実に保護することができる。
各前天ブロック（１１）（１２）を左右に分割しているため、プリンタのフロントドアへ衝撃が加わるのを防止できる。
【００４２】
外装ケース（Ｃ）  は、上面を天板部材（Ｂ）  で保持したプリンタを載置した底板部材（Ａ）  に、ジョイント孔で連結して一体化しているため、当該包装部材の中でプリンタががたついたり、ずれたりすることがなく、確実に保護することができ、保管や輸送が容易となる。
【００４３】
すべて紙製品で出来ているから再生利用ができると共に、焼却処理可能な段ボールを使用して、重量バランスが異なり、材質の違い等により各部位の強度が異なるレーザープリンタを損傷しないように保護することができる。
【図面の簡単な説明】
【図１】本発明の一実施形態に係るレーザープリンタ用包装部材の使用方法を示す斜視図である。
【図２】包装部材中の底板の展開図である。
【図３】包装部材中の補強パッドの打ち抜き状態を示す正面図である。
【図４】包装部材中の底板の組立順序を示す説明斜視図である。
【図５】包装部材中の底板の組立完了状態を示す斜視図である。
【図６】包装部材中の前底ブロックの展開図である。
【図７】包装部材中の積層縦貼段ボールの説明斜視図である。
【図８】包装部材中の積層クロス貼段ボールの説明斜視図である。
【図９】包装部材中の前底ブロックの組立状態を示す説明斜視図である。
【図１０】包装部材中の後底ブロックの展開図である。
【図１１】包装部材中の後底ブロックの組立状態を示す説明斜視図である。
【図１２】包装部材中の右アングルを示す説明斜視図である。
【図１３】包装部材中の左アングルを示す説明斜視図である。
【図１４】包装部材中の底板部材の組立順序を示す説明斜視図である。
【図１５】底板部材の組立完了状態を示す説明斜視図である。
【図１６】包装部材中の天板の展開図である。
【図１７】包装部材中の天板の裏面を示す縮小説明斜視図である。
【図１８】包装部材中の右前天ブロックの拡大展開図である。
【図１９】包装部材中の左前天ブロックの拡大展開図である。
【図２０】包装部材中の後天ブロックの縮小展開図である。
【図２１】包装部材中の天枠の展開図である。
【図２２】天枠の組立状態を示す説明斜視図である。
【図２３】包装部材中のカセット固定部材の展開図である。
【図２４】カセット固定部材の組立順序を示す説明斜視図である。
【図２５】包装部材中の仕切パッドの展開図である。
【図２６】包装部材中の天蓋の展開図である。
【図２７】包装部材中の外装ケースの展開図である。
【符号の説明】
（Ａ）            底板部材
（Ｂ）            天板部材
（Ｃ）            外装ケース
（Ｄ）            ジョイント部材
（Ｅ）            カセット
（Ｆ）          部品ケース
（Ｇ）                レーザープリンタ
（１）            底板
（２）            補強パッド
（３）            前底ブロック
（４）            後底ブロック
（５）            右アングル
（６）          左アングル
（１０）        天板
（１１）        右前天ブロック
（１２）        左前天ブロック
（１３）        後天ブロック
（１４）        天枠
（１７）        カセット固定部材
（１８）        仕切パレット
（１９）        天蓋
（２１）        左内枠板
（２２）（２６）    縦板
（２３）        左外枠板
（２４）        底部板
（２５）        右外枠板
（２７）        右内枠板
（２８）        後枠板
（２９）        前枠板
（３０）（３３）    差込片
（３１）（３２）    ジョイント孔
（３４）（３８）    ジョイント孔
（３５）（３９）    補強片
（４０）        ジョイント孔
（５０）        貼着片
（５１）        底部板
（５２）        縦板
（５３）        載置板
（５４）        中縦板部
（５５）        前上板部
（５６）        前縦板
（５７）                積層縦貼段ボール
（５８）                積層キロス貼段ボール
（６０）        挿入孔
（６２）        半切線
（６３）        押込片部
（６４）（６５）    切込線
（６７）（６８）    切込線
（７０）        左張出部
（７１）        左上板部
（７２）（７５）    前張出部
（７３）          右張出部
（７４）          右上板部
（７６）          左縦片部
（７７）          補強片
（７８）          右縦片部
（８０）          左上外前片体
（８１）          左下外前片体
（８２）          左上内前片体
（８３）          中央前片体
（８４）          右上外前片体
（８５）          右下外前片体
（８６）          右上内前片体
（８７）          左下内前片体
（８８）          右下内前片体
（９０）          後縦板
（９１）          左上板部
（９２）          右上板部
（９３）          縦板
（９４）          底部板
（９５）          貼着片
（９６）          打抜孔
（９７）          切込線
（９８）          補強縦板
（９９）          載置板
（１０３）          半切線
（１０４）              押込片部
（１１０）          左外後片体
（１１１）          右外後片体
（１１２）          中央後片体
（１１３）          左内後片体
（１１４）              右内後片体
（１２０）          縦板部
（１２１）              横板部
（１２２）          短尺片体
（１２５）          縦板部
（１２６）          横板部
（１２７）          長尺片体
（１２８）              短尺片体
（１３０）（１３８）      補強板
（１３１）              右内縦板
（１３２）          右下板
（１３３）          右外縦板
（１３４）          天部板
（１３５）          左外縦板
（１３６）              左下板
（１３７）          内縦板
（１６０）（１８０）      重合板
（１６１）（１８１）      幅板
（１６２）（１８２）      重合板
（１６３）（１８３）      連結板
（１６４）（１８４）      重合板
（１６５）（１８５）      幅板
（１６６）（１８６）      重合板
（１６７）（１８７）      重合板
（１７０）（１９０）      切欠部
（１７１）（１９１）      張出部
（１７４）（１９４）      係止片
（２００）          内板
（２０１）          外縦板
（２０２）          上板
（２０３）          縦板
（２０４）              下板
（２０５）          内縦板
（２０７）（２０８）      舌片部
（２１１）          後枠板
（２１２）          左枠板
（２１３）（２１６）      折曲片
（２２０）              貼着片
（２２１）          中枠板
（２２２）              前枠板
（２２３）          右枠板
（２２６）（２２７）      折曲片
（２３１）          貼着板
（２３２）          側板
（２３３）          幅板
（２３４）              側板
（２３５）          背板
（２３６）          側板
（２３７）              幅板
（２３８）          側板
（２３９）          背板
（２４０）              側板
（２４１）          幅板
（２４２）          側板
（２４３）（２４４）      重合板
（２４２）                三角状筒状部
（２５１）          打抜孔
（２５２）              切欠部
（２５３）          切込部
（２６０）          蓋板
（２６１）              打抜孔
（２６２）          枠片
（２６３）          差込片部
（２７１）              左側板
（２７２）          前板
（２７３）          貼着板
（２７４）              ジョイント孔
（２８１）          右側板
（２８２）          後板
（２８３）              貼着板
（２８４）          ジョイント孔
【図１】
0003561867.tif 000002
【図２】
0003561867.tif 000003
【図３】
0003561867.tif 000004
【図４】
0003561867.tif 000005
【図５】
0003561867.tif 000006
【図６】
0003561867.tif 000007
【図７】
0003561867.tif 000008
【図８】
0003561867.tif 000009
【図９】
0003561867.tif 000010
【図１０】
0003561867.tif 000011
【図１１】
0003561867.tif 000012
【図１２】
0003561867.tif 000013
【図１３】
0003561867.tif 000014
【図１４】
0003561867.tif 000015
【図１５】
0003561867.tif 000016
【図１６】
0003561867.tif 000017
【図１７】
0003561867.tif 000018
【図１８】
0003561867.tif 000019
【図１９】
0003561867.tif 000020
【図２０】
0003561867.tif 000021
【図２１】
0003561867.tif 000022
【図２２】
0003561867.tif 000023
【図２３】
0003561867.tif 000024
【図２４】
0003561867.tif 000025
【図２５】
0003561867.tif 000026
【図２６】
0003561867.tif 000027
【図２７】
0003561867.tif 000028